(57)【要約】【課題】ユーザの通常動作中に指紋データを取得して指紋認証を行い、認証結果に応じた処理制御を行う構成を実現する。【解決手段】指紋センサが、例えば、ユーザの指によるつまむ動作が行われる操作部材に形成される。つまむ動作によりユーザの指の指紋形成面が当接する位置に設定された指紋センサによって指紋データを取得し、取得した指紋データに基づくユーザ認証処理を実行する。指紋センサは、ユーザの指によるつまむ動作が行われた場合に、ユーザの２本の指の指紋データを取得する。操作部材は、例えばドアの開閉用のドアつまみであり、指紋データに基づく認証処理の成立に応じて、ドアを開錠する。【選択図】図２
2018133025.tif 000002
【特許請求の範囲】
【請求項１】
ユーザの指によるつまむ動作が行われる操作部材に形成された指紋センサであり、前記つまむ動作により前記ユーザの指の指紋形成面が当接する位置に設定された指紋センサと、
前記指紋センサによって取得された指紋データを、指紋データ登録処理、または指紋データに基づく認証処理を実行するデータ処理部に出力する制御部を有する情報処理装置。
【請求項２】
前記制御部が、
前記指紋データ登録処理、または前記指紋データに基づく認証処理を実行する請求項１に記載の情報処理装置。
【請求項３】
前記制御部は、
通信部を介して、前記指紋センサによって取得された指紋データを、指紋データ登録処理、または指紋データに基づく認証処理を実行するデータ処理部に送信する請求項１に記載の情報処理装置。
【請求項４】
前記指紋センサは、
ユーザの指によるつまむ動作が行われた場合に、前記ユーザの２本の指の指紋形成面が当接する２つの位置に設定されている請求項１に記載の情報処理装置。
【請求項５】
前記操作部材は、
開閉用つまみであり、
前記制御部は、
前記指紋データ登録処理の完了に応じて、前記開閉用つまみのユーザ操作による開動作を実行不可とする施錠処理を行う請求項１に記載の情報処理装置。
【請求項６】
前記操作部材は、
開閉用つまみであり、
前記制御部は、
前記指紋データに基づく認証処理の成立に応じて、前記開閉用つまみのユーザ操作による開動作を実行可とする開錠処理を行う請求項１に記載の情報処理装置。
【請求項７】
前記操作部材は、
ドアの開閉用のドアつまみであり、
前記制御部は、
前記指紋データ登録処理の完了に応じて、前記ドアを施錠する請求項１に記載の情報処理装置。
【請求項８】
前記操作部材は、
ドアの開閉用のドアつまみであり、
前記制御部は、
前記指紋データに基づく認証処理の成立に応じて、前記ドアを開錠する請求項１に記載の情報処理装置。
【請求項９】
前記情報処理装置は、
前記指紋データを格納する記憶部を有する請求項１に記載の情報処理装置。
【請求項１０】
指紋センサモジュールと、指紋登録・認証モジュールを有する情報処理システムであり、
前記指紋センサモジュールは、
操作部材に対するユーザの指によるつまむ動作により、指の指紋形成面が当接する位置において指紋を検出する指紋センサを介して指紋データを取得する処理と、
通信部を介して、前記指紋センサによって取得された指紋データを前記指紋登録・認証モジュールに送信する処理を実行する制御部を有し、
前記指紋登録・認証モジュールは、
前記指紋センサモジュールの送信する指紋データを受信し、受信した指紋データを記憶部に格納する登録処理を実行する制御部を有する情報処理システム。
【請求項１１】
前記指紋登録・認証モジュールの制御部は、
前記記憶部に格納された登録指紋データと、
前記指紋センサモジュールから新たに入力した新規入力指紋データとの照合処理による認証処理を実行する請求項１０に記載の情報処理システム。
【請求項１２】
前記指紋センサは、
ユーザの指によるつまむ動作が行われた場合に、前記ユーザの２本の指の指紋形成面が当接する２つの位置に設定されている請求項１０に記載の情報処理システム。
【請求項１３】
前記操作部材は、
開閉用つまみであり、
前記指紋センサモジュールの制御部は、
前記指紋データ登録処理の完了に応じて、前記開閉用つまみのユーザ操作による開動作を実行不可とする施錠処理を行う請求項１０に記載の情報処理システム。
【請求項１４】
前記操作部材は、
開閉用つまみであり、
前記指紋センサモジュールの制御部は、
前記指紋データに基づく認証処理の成立に応じて、前記開閉用つまみのユーザ操作による開動作を実行可とする開錠処理を行う請求項１０に記載の情報処理システム。
【請求項１５】
前記操作部材は、
ドアの開閉用のドアつまみであり、
前記指紋センサモジュールの制御部は、
前記指紋データ登録処理の完了に応じて、前記ドアを施錠する請求項１０に記載の情報処理システム。
【請求項１６】
前記操作部材は、
ドアの開閉用のドアつまみであり、
前記指紋センサモジュールの制御部は、
前記指紋データに基づく認証処理の成立に応じて、前記ドアを開錠する請求項１０に記載の情報処理システム。
【請求項１７】
情報処理装置において実行する情報処理方法であり、
制御部が、
操作部材に対するユーザの指によるつまむ動作により、指の指紋形成面が当接する位置において指紋を検出する指紋センサを介して指紋データを取得する処理と、
前記指紋センサによって取得された指紋データを、指紋データ登録処理、または指紋データに基づく認証処理の実行部に出力する処理を行う情報処理方法。
【請求項１８】
指紋センサモジュールと、指紋登録・認証モジュールを有する情報処理システムにおいて実行する情報処理方法であり、
前記指紋センサモジュールにおいて、
操作部材に対するユーザの指によるつまむ動作により、指の指紋形成面が当接する位置において指紋を検出する指紋センサを介して指紋データを取得する処理と、
通信部を介して、前記指紋センサによって取得された指紋データを前記指紋登録・認証モジュールに送信する処理を実行し、
前記指紋登録・認証モジュールが、
通信部を介して、前記指紋センサモジュールの送信する指紋データを受信し、
制御部が、受信した指紋データを記憶部に格納する登録処理を実行する情報処理方法。
【請求項１９】
情報処理装置において情報処理を実行させるプログラムであり、
制御部に、
操作部材に対するユーザの指によるつまむ動作により、指の指紋形成面が当接する位置において指紋を検出する指紋センサを介して指紋データを取得する処理と、
前記指紋センサによって取得された指紋データを、指紋データ登録処理、または指紋データに基づく認証処理の実行部に出力する処理を行わせるプログラム。
【発明の詳細な説明】
【技術分野】
【０００１】
本開示は、情報処理装置、情報処理システム、および情報処理方法、並びにプログラムに関する。さらに詳細には、指紋認証を行う情報処理装置、情報処理システム、および情報処理方法、並びにプログラムに関する。
【背景技術】
【０００２】
近年、例えばネットワークを介した商取引やデータアクセス、あるいは携帯端末の操作やＡＴＭ等の利用など、様々な分野において本人確認のための生体認証が利用されている。生体認証の代表的な例として指紋認証がある。
【０００３】
指紋認証について開示した従来技術として、例えば特許文献１（特許第３９５１９２０号公報）がある。
特許文献１は、指紋検出部が形成されたＩＣカードの構成と利用例について開示している。
しかし、この特許文献１に限らず、従来の指紋認証装置の多くは、指紋検出部を構成する特定領域に指を押し付ける処理が必要であり、ユーザに指紋認証のための特別な動作を行わせる構成となっている。
このような指紋認証のための特別な動作をユーザに要求することは、ユーザにとって煩わしく、負担となるという問題がある。
【先行技術文献】
【特許文献】
【０００４】
【特許文献１】特許３９５１９２０号公報
【発明の概要】
【発明が解決しようとする課題】
【０００５】
本開示は、例えば、上述の問題点に鑑みてなされたものであり、認証処理のための特別な動作をユーザに要求することなく、通常のユーザ動作の中で認証処理を行うことを可能とした情報処理装置、情報処理システム、および情報処理方法、並びにプログラムを提供することを目的とする。
【課題を解決するための手段】
【０００６】
本開示の第１の側面は、
ユーザの指によるつまむ動作が行われる操作部材に形成された指紋センサであり、前記つまむ動作により前記ユーザの指の指紋形成面が当接する位置に設定された指紋センサと、
前記指紋センサによって取得された指紋データを、指紋データ登録処理、または指紋データに基づく認証処理を実行するデータ処理部に出力する制御部を有する情報処理装置にある。
【０００７】
さらに、本開示の第２の側面は、
指紋センサモジュールと、指紋登録・認証モジュールを有する情報処理システムであり、
前記指紋センサモジュールは、
操作部材に対するユーザの指によるつまむ動作により、指の指紋形成面が当接する位置において指紋を検出する指紋センサを介して指紋データを取得する処理と、
通信部を介して、前記指紋センサによって取得された指紋データを前記指紋登録・認証モジュールに送信する処理を実行する制御部を有し、
前記指紋登録・認証モジュールは、
前記指紋センサモジュールの送信する指紋データを受信し、受信した指紋データを記憶部に格納する登録処理を実行する制御部を有する情報処理システムにある。
【０００８】
さらに、本開示の第３の側面は、
情報処理装置において実行する情報処理方法であり、
制御部が、
操作部材に対するユーザの指によるつまむ動作により、指の指紋形成面が当接する位置において指紋を検出する指紋センサを介して指紋データを取得する処理と、
前記指紋センサによって取得された指紋データを、指紋データ登録処理、または指紋データに基づく認証処理の実行部に出力する処理を行う情報処理方法にある。
【０００９】
さらに、本開示の第４の側面は、
指紋センサモジュールと、指紋登録・認証モジュールを有する情報処理システムにおいて実行する情報処理方法であり、
前記指紋センサモジュールにおいて、
操作部材に対するユーザの指によるつまむ動作により、指の指紋形成面が当接する位置において指紋を検出する指紋センサを介して指紋データを取得する処理と、
通信部を介して、前記指紋センサによって取得された指紋データを前記指紋登録・認証モジュールに送信する処理を実行し、
前記指紋登録・認証モジュールが、
通信部を介して、前記指紋センサモジュールの送信する指紋データを受信し、
制御部が、受信した指紋データを記憶部に格納する登録処理を実行する情報処理方法にある。
【００１０】
さらに、本開示の第５の側面は、
情報処理装置において情報処理を実行させるプログラムであり、
制御部に、
操作部材に対するユーザの指によるつまむ動作により、指の指紋形成面が当接する位置において指紋を検出する指紋センサを介して指紋データを取得する処理と、
前記指紋センサによって取得された指紋データを、指紋データ登録処理、または指紋データに基づく認証処理の実行部に出力する処理を行わせるプログラムにある。
【００１１】
なお、本開示のプログラムは、例えば、様々なプログラム・コードを実行可能な情報処理装置やコンピュータ・システムに対して、コンピュータ可読な形式で提供する記憶媒体、通信媒体によって提供可能なプログラムである。このようなプログラムをコンピュータ可読な形式で提供することにより、情報処理装置やコンピュータ・システム上でプログラムに応じた処理が実現される。
【００１２】
本開示のさらに他の目的、特徴や利点は、後述する本開示の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００１３】
本開示の一実施例の構成によれば、ユーザの通常動作中に指紋データを取得して指紋認証を行い、認証結果に応じた処理制御を行う構成が実現される。
具体的には、例えば、指紋センサは、ユーザの指によるつまむ動作が行われる操作部材に形成される。つまむ動作によりユーザの指の指紋形成面が当接する位置に設定された指紋センサによって指紋データを取得し、取得した指紋データに基づくユーザ認証処理を実行する。指紋センサは、ユーザの指によるつまむ動作が行われた場合に、ユーザの２本の指の指紋データを取得する。操作部材は、例えばドアの開閉用のドアつまみであり、指紋データに基づく認証処理の成立に応じて、ドアを開錠する。
本構成により、ユーザの通常動作中に指紋データを取得して指紋認証を行い、認証結果に応じた処理制御を行う構成が実現される。
なお、本明細書に記載された効果はあくまで例示であって限定されるものではなく、また付加的な効果があってもよい。
【図面の簡単な説明】
【００１４】
【図１】本開示の情報処理システムの概要について説明する図である。
【図２】指紋センサの装着例について説明する図である。
【図３】本開示の情報処理システムの概要について説明する図である。
【図４】本開示の情報処理システムを構成するモジュールの具体的構成例について説明する図である。
【図５】指紋センサの具体的構成例について説明する図である。
【図６】指紋センサの具体的構成例について説明する図である。
【図７】指紋センサの具体的構成例について説明する図である。
【図８】本開示の情報処理システムの実行する処理のシーケンスについて説明するシーケンス図である。
【図９】記憶部に記憶される指紋データの例について説明する図である。
【図１０】本開示の情報処理システムの実行する処理のシーケンスについて説明するシーケンス図である。
【図１１】本開示の情報処理システムの構成例について説明する図である。ユーザの位置や行動の確認に基づく送金処理のシーケンスについて説明する図である。
【図１２】指紋センサの装着部材の例について説明する図である。
【図１３】指紋センサの装着部材の例について説明する図である。
【図１４】指紋センサの装着部材の例について説明する図である。
【図１５】情報処理装置のハードウェア構成例について説明する図である。
【発明を実施するための形態】
【００１５】
以下、図面を参照しながら本開示の情報処理装置、情報処理システム、および情報処理方法、並びにプログラムの詳細について説明する。なお、説明は以下の項目に従って行なう。
１．本開示の情報処理装置の実行する指紋認証処理について
２．本開示の情報処理システムの構成例について
３．指紋センサの具体的構成例について
４．情報処理システムの実行する処理のシーケンスについて
５．情報処理システムのその他の構成例について
６．指紋センサを装着する部材や装置の例について
７．情報処理装置の構成例について
８．本開示の構成のまとめ
【００１６】
［１．本開示の情報処理装置の実行する指紋認証処理について］
まず、図１以下を参照して、本開示の情報処理装置の実行する指紋認証処理について説明する。
図１は、本開示の指紋認証処理の一構成例について説明する図である。
【００１７】
図１には、コインロッカー１０を示している。
コインロッカーには複数の区分されたロッカーが設けられ、各ロッカーには、開閉ドアつまみ部１１が設けられている。
ユーザが開閉ドアつまみ部１１を回すことで、ドアの開閉ができる。
ただし、利用状態にあるロッカーは、施錠されており、ドアつまみ部１１を回すことができない。利用ユーザのみが、ドアつまみ部１１を回すことができ、開錠できる。
【００１８】
従来型のコインロッカーの多くは、各区分ロッカーに対応する鍵が設定され、利用ユーザは、ロッカーに荷物を入れて、備え付けの鍵を用いて施錠し、その鍵を所有することで、他人による開錠を防止する構成となっている。
【００１９】
図１に示す本開示の指紋認証システムを用いたロッカーは、このような鍵を用いることなく、指紋認証によって、利用者本人であることを確認し、開錠する構成を有する。
【００２０】
コインロッカー１０を利用するユーザは、まず、１つの区分ロッカーを選択して、開閉ドアつまみ部１１を指でつまみ、ドアをオープンして、荷物をロッカー内に格納する。
このドアのオープン処理において、ユーザが開閉ドアつまみ部１１を指でつまむと、開閉ドアつまみ部１１の両サイドに設けられた指紋センサが、ユーザの指紋を検出する。この検出データが、コインロッカー１０に接続された情報処理装置の記憶部に格納される。
その後、ユーザが、ドアを閉め、所定料金をコイン投入口にいれると、ロッカーのドアは施錠される。
【００２１】
さらに、ユーザがローカー内にいれた荷物を取り出す際には、ユーザは、再度、開閉ドアつまみ部１１を指でつまむ。
この動作により、ユーザの指紋が、再度、読み取られる。
読み取られた指紋データは、コインロッカー１０に接続された情報処理装置の認証処理を実行する認証処理部（制御部）に送信される。
【００２２】
情報処理装置の認証処理部は、ロッカーに対する荷物預入時に登録した登録指紋データと、今回の荷物取り出し時に新たに入力した新規入力指紋データとの照合処理を実行する。
この照合処理が成立、すなわち、登録指紋データと、新規入力指紋データとが一致した場合は、
荷物を取り出そうとしたユーザ（新規入力指紋データを持つユーザ）と、
荷物を預け入れたユーザ（登録指紋データを有するユーザ）、
この両ユーザが一致すると判断して、正当なユーザによる開錠要求であると判断し、ロッカーを開錠しドアを開けることを可能とする。
【００２３】
一方、照合処理が不成立、すなわち、登録指紋データと、新規入力指紋データとが一致しなかった場合は、
荷物を取り出そうとしたユーザ（新規入力指紋データを持つユーザ）と、
荷物を預け入れたユーザ（登録指紋データを有するユーザ）、
この両ユーザが一致しないと判断する。
この場合は、正当なユーザによる開錠要求ではないと判断し、ロッカーのドアの開錠を行わず、施錠状態を維持してドアが開けられることを防止する。
【００２４】
このように、本開示の指紋認証システムでは、ユーザは、ロッカーのドアつまみをつまむという、ロッカー利用時の通常の動作を行うのみで、指紋認証処理による厳正なロッカー開閉制御を行うことが可能となる。
すなわち、ユーザは、指紋認証処理のための特別な動作を行う必要がなく、ユーザの煩わしさや負担を軽減することができる。
【００２５】
なお、図１に示す例は、指紋センサをロッカーのドアのつまみに設けた例であるが、これは一例であり、指紋センサを装着する部材は、ロッカーのドアのつまみに限るものではなく、様々な部材がある。通常の人の動作において指が接触する操作部材、把持部材、装置等、様々な部材や装置に指紋センサを装着することが可能である。
これらの部材や装置の具体例については後段で説明する。
【００２６】
次に、図２を参照して、図１に示すロッカーの開閉ドアつまみ部１１に設けられる指紋センサの構成例について説明する。
図２には、開閉ドアつまみ部１１の、
（Ｌ）左側面図、
（Ｒ）右側面図、
これらの２つの側面図を示している。
【００２７】
（Ｌ）左側面図、（Ｒ）右側面図に示すように、開閉ドアつまみ部１１の左右側面の各々に、指紋センサが設けられている。
開閉ドアつまみ部１１の左側面には、指紋センサＡ，２１が設けられている。この指紋センサＡ，２１は、例えばユーザの親指の指紋を検出するセンサである。
一方、開閉ドアつまみ部１１の右側面には、指紋センサＢ，２２が設けられている。この指紋センサＢ，２２は、例えばユーザの人差し指の指紋を検出するセンサである。
【００２８】
このように、本開示のシステムにおいて用いられる指紋センサは、例えば、ユーザの２本の指によってつまむことが可能なつまみ部の両面にセンサが設けられた構成であり、ユーザの２本の指の指紋データを取得可能な構成となっている。
このように複数の指の指紋データを取得することで、指紋照合処理を、より高精度に行うことが可能となる。
なお、ユーザの２本の指の指紋データを取得可能な指紋センサは、本開示のシステムにおいて用いられる指紋センサの一例であり、本開示のシステムにおいては、１本の指、あるいは３本以上の指の指紋を取得可能なセンサも利用可能である。
【００２９】
［２．本開示の情報処理システムの構成例について］
次に図３を参照して本開示の情報処理システムの構成例について説明する。
図３には、
指紋センサモジュール５０、
指紋登録・認証モジュール７０、
これらの２つのモジュールによって構成される情報処理システムを示している。
指紋センサモジュール５０と、指紋登録・認証モジュール７０は、通信ネットワーク６０を介して接続されており、相互に通信可能な構成を持つ。
【００３０】
図３に示す指紋センサモジュール５０は、一例として図１を参照して説明したコインロッカー１０を用いた構成例を示している。
コインロッカー１０の開閉ドアつまみ部の両側面に指紋センサが設定されている。
なお、前述したように、指紋センサモジュール５０における指紋センサの設定対象は、コインロッカーに限らず、様々な物が可能である。これらの具体例については、後段で説明する。
【００３１】
図３に示す情報処理システムにおいて、指紋センサモジュール５０は、ユーザの指紋を読み取る指紋センサを有する。指紋センサモジュール５０側の指紋センサで取得されたユーザの指紋データは、ネットワーク６０を介して指紋登録・認証モジュール７０に送信される。
【００３２】
指紋登録・認証モジュール７０は、指紋センサモジュール５０から送信された指紋データを記憶部（登録データベース）に格納する。
さらに、指紋登録・認証モジュール７０は、指紋センサモジュール５０から送信される指紋データと、記憶部（登録データベース）に格納された登録指紋データとの照合処理による指紋認証を実行する。
認証結果は、指紋センサモジュール５０側に通知される。
指紋センサモジュール５０は、認証結果に応じた処理を実行する。例えばコインロッカーの開錠／施錠制御等を行う。
【００３３】
次に、図４を参照して、図３を参照して説明した情報処理システムを構成する指紋センサモジュール５０と、指紋登録・認証モジュール７０の具体的な構成例について説明する。
【００３４】
図４に示すように、指紋センサモジュール５０は、指紋センサ５１、記憶部５２、電源５３、制御部５４、通信部５５を有する。
指紋センサ５１は、例えば図２を参照して説明したように、ドアのつまみの両側面に設けられた複数のセンサによって構成される。
なお、指紋センサ５１の構成は、センサ装着対象によって異なるものとなる。様々なセンサ装着対象とセンサ装着例については、後段で説明する。
【００３５】
記憶部５２は、例えば指紋センサ５１によって取得された指紋データや、指紋センサモジュール５０で実行する処理のプログラム、処理に利用するパラメータ等の記憶領域として利用される。
電源５３は、指紋センサモジュール５０における処理に適用する電力の供給源であり、例えばＡＣ電源、電池等が利用可能である。
【００３６】
制御部５４は、指紋センサモジュール５０で実行する処理の制御を実行する。
例えば、指紋センサ５１による指紋データの読み取り、読み取りデータの記憶部５２への格納、読み取りデータの通信部５５を介した送信処理、通信部５５を介したデータ受信処理、受信データの解析、解析結果に基づくデータ処理の制御等を実行する。
【００３７】
通信部５５は、指紋センサモジュール５０と、指紋登録・認証モジュール７０との間のデータ通信を実行する。
【００３８】
次に、指紋登録・認証モジュール７０の具体的な構成例について説明する。
図４に示すように、指紋登録・認証モジュール７０は、入力部７１、記憶部７２、表示部７３、通信部７４、制御部７５、電源７６を有する。
【００３９】
入力部７１は、例えば指紋登録・認証モジュール７０側で実行する様々な処理の要求等を入力するために用いられる。
記憶部７２は、例えば指紋センサモジュール５０側から送信された指紋データの登録情報や、指紋登録・認証モジュール７０で実行する処理のプログラム、処理に利用するパラメータ等の記憶領域として利用される。
【００４０】
表示部７３は、指紋登録・認証モジュール７０側で実行する処理に応じたデータ表示等を行う。例えば記憶部７２に格納された登録データの一覧表示などを行う。
通信部７４は、指紋センサモジュール５０と、指紋登録・認証モジュール７０との間のデータ通信を実行する。
【００４１】
制御部７５は、指紋登録・認証モジュール７０で実行する処理の制御を実行する。
例えば、指紋センサモジュール５０から入力する指紋データの記憶部７２に対する登録処理、指紋センサモジュール５０から入力する指紋データと、記憶部７２に格納された登録指紋データとの照合処理を伴う認証処理などを実行する。
さらに、通信部７４を介したデータ送受信処理等を実行する。
電源７６は、指紋登録・認証モジュール７０における処理に適用する電力の供給源であり、例えばＡＣ電源、電池等が利用可能である。
【００４２】
図４に示すように、本開示の情報処理システムの一例は、
指紋センサモジュール５０と、
指紋登録・認証モジュール７０との
２つのモジュールによって構成されている。
【００４３】
なお、指紋センサモジュール５０と、指紋登録・認証モジュール７０との通信が、正当なモジュール間で実行されることを可能とするため、例えば以下の設定を事前に行うことが好ましい。
指紋センサモジュール５０に、指紋登録・認証モジュール７０との接続用認証キーを記憶部にセキュアに格納する。例えば工場出荷時に格納しておく。
【００４４】
指紋登録・認証モジュール７０は、指紋センサモジュール５０とのデータ通信により、指紋データ等のセキュアデータの送受信を行う前に、この認証キーによる相互認証を行う。指紋登録・認証モジュール７０は、指紋センサモジュール５０が正当な認証キーを有することを確認した場合にのみ、その後のデータ通信を実行する。
【００４５】
また、例えば、指紋登録・認証モジュール７０と、指紋センサモジュール５０に対となる認証キーをそれぞれ格納する構成としてもよい。
この場合、指紋登録・認証モジュール７０と、指紋センサモジュール５０の両モジュールは、相互に対となる認証キーを持つモジュールであることの確認のための相互認証を実行し、認証が成立した場合にのみ、モジュール間の通信を継続して実行する。
【００４６】
あるいは、指紋センサモジュール５０に格納された認証キーのデータを、指紋センサモジュール５０側管理者が、紙などに印刷して、指紋登録・認証モジュール７０側管理者に郵送する設定としてもよい。
指紋登録・認証モジュール７０側管理者は、指紋登録・認証モジュール７０にその認証キーを入力し、予め登録された認証キーと一致するか否かの照合処理を行い、照合が成立した場合、指紋センサモジュール５０が正当な認証キーを格納したモジュールであると判定し、その後のモジュール間における通信を伴う処理を許容する。
【００４７】
このように、指紋センサモジュール５０と、指紋登録・認証モジュール７０との通信が、正当なモジュール間で実行されることを可能とするために、上記のような設定を事前に行い、モジュール間の通信処理開示時に認証処理を行い、認証成立後に指紋データ等のセキュアデータの通信を開始することが好ましい。
【００４８】
［３．指紋センサの具体的構成例について］
次に、指紋センサの具体的構成例について説明する。
先に図２を参照して説明したように、本開示のシステムにおいて利用される指紋センサは、例えばドアのつまみの両側面に設けられ、ユーザの２本の指によってつまみをつまんだ場合に、ユーザの２本の指、例えば親指と人差し指の指紋を読み取ることを可能とした構成を持つ。
【００４９】
このように、左右の両側面、すなわち表裏両面に指紋センサを設ける場合の具体的なセンサ構成例について、図５、図６を参照して説明する。
図５、図６には、以下の２つの両面指紋センサ例を示している。
（１）両面指紋センサ例１
（２）両面指紋センサ例２
【００５０】
まず、図５に示す（１）両面指紋センサ例１について説明する。
図５に示す（１）両面指紋センサ例１は、図に示すように、光源８０、ミラー８２、導光板１，８２、導光板１，８３、受光素子１，８４、受光素子２，８５を有する。
光源８０から出力された光は、ミラー８２によって反射されて、導光板１，８２と、導光板１，８３を介して、センサ表面に当接されたユーザの指の指紋形成面に照射される。ユーザの指の指紋形成面に照射された光は、ユーザの指の指紋形成面で反射し、反射光が、導光板を介して、受光素子に入力される。
【００５１】
図に示す指１の指紋形成面に照射された光は、指１の指紋形成面で反射し、反射光が、導光板１，８２を介して、受光素子１，８４に入力される。
一方、指２の指紋形成面に照射された光は、指２の指紋形成面で反射し、反射光が、導光板２，８３を介して、受光素子２，８５に入力される。
指１、指２は、例えば、同一ユーザの親指と人差し指である。
【００５２】
受光素子１，８４は、指１の指紋形成面の指紋に応じた反射光に従って生成される出力信号（指紋画像）を出力する。
受光素子２，８５は、指２の指紋形成面の指紋に応じた反射光に従って生成される出力信号（指紋画像）を出力する。
これらの出力信号が、図４を参照して説明した指紋センサモジュール５０の記憶部５２に格納され、また、通信部５５を介して指紋登録・認証モジュール７０に送信される。
【００５３】
なお、記憶部格納データや、送信データは、指紋の画像データとしてもよいが、指紋画像データに対するデータ処理によって生成したコード化データであってもよい。例えば指紋センサモジュール５０の制御部が、画像信号をコード信号に変換するアルゴリズムを含むプログラムを実行して、画像信号に従ったコード信号を生成して、つ生成したコード信号を指紋センサモジュール５０の記憶部５２に格納し、通信部５５を介して指紋登録・認証モジュール７０に送信する構成としてもよい。
【００５４】
図６には、図５に示す（１）両面指紋センサ例１と異なる構成を持つ（２）両面指紋センサ例２の構成例を示している。
図５に示す（１）両面指紋センサ例１と異なる点は、光源を２つにし、ミラーを省略した点である。
図６に示す（２）両面指紋センサ例２は、図に示すように、光源ａ，８０ａ、光源ｂ，８０ｂ、導光板１，８２、導光板１，８３、受光素子１，８４、受光素子２，８５を有する。
【００５５】
光源ａ，８０ａから出力された光は、導光板１，８２を介して、センサ表面に当接されたユーザの指１の指紋形成面に照射される。ユーザの指１の指紋形成面に照射された光は、ユーザの指１の指紋形成面で反射し、反射光が、導光板１を介して、受光素子１に入力される。
一方、光源ｂ，８０ｂから出力された光は、導光板２，８３を介して、センサ表面に当接されたユーザの指２の指紋形成面に照射される。ユーザの指２の指紋形成面に照射された光は、ユーザの指２の指紋形成面で反射し、反射光が、導光板２，８３を介して、受光素子２，８５に入力される。
その後の処理は、図５を参照して説明した例１と同様である。
【００５６】
このように、表裏両面に指紋センサを設定した具体的なセンサ構成例として、例えば図５、図６に示すセンサ構成が利用可能である。
【００５７】
なお、正確な指紋データを取得するためには、ユーザの指が、指紋センサの位置にしっかり当接されることが必要である。
このためのガイド表示を指紋センサ部に行う構成とすることが好ましい。
図７を参照してこのガイド表示構成例について説明する。
【００５８】
図７には、先に図２を参照して説明したと同様、図１をほ参照して説明した開閉ドアつまみ部１１の、
（Ｌ）左側面図、
（Ｒ）右側面図、
これらの２つの側面図を示している。
【００５９】
（Ｌ）左側面図、（Ｒ）右側面図に示すように、開閉ドアつまみ部１１の左右側面の各々に、指紋センサが設けられている。
開閉ドアつまみ部１１の左側面には、指紋センサＡ，２１が設けられている。この指紋センサＡ，２１は、ユーザの親指の指紋を検出するセンサである。
一方、開閉ドアつまみ部１１の右側面には、指紋センサＢ，２２が設けられている。この指紋センサＢ，２２は、ユーザの人差し指の指紋を検出するセンサである。
【００６０】
図７に示す（Ｌ）左側面図、（Ｒ）右側面図に示すように、指紋センサＡ，２１、指紋センサＢ，２２の各々に、指設置領域ガイドマーク２３が記録されている。
ユーザは、この指設置領域ガイドマーク２３を確認して指をこのマークに沿って当接することが可能となる。
この処理により、指紋センサＡ，２１、指紋センサＢ，２２の各々は、ユーザの指の指紋データを確実に取得することが可能となる。
【００６１】
［４．情報処理システムの実行する処理のシーケンスについて］
次に、情報処理システムの実行する処理のシーケンスについて説明するる
先に図４を参照して説明した指紋センサモジュール５０と、指紋登録・認証モジュール７０を利用した処理のシーケンスについて、図８〜図１０を参照して説明する。
図８に示すシーケンス図は、例えば図１に示すコインロッカー１０の利用者が、荷物をロッカーに入れて施錠するときに実行する指紋登録処理のシーケンスである。
一方、図１０に示すシーケンス図は、例えば図１に示すコインロッカー１０の利用者が、荷物をロッカーから取り出すために開錠するときに実行する処理シーケンスである。
【００６２】
まず、図８に示すシーケンス図を参照して、図１に示すコインロッカー１０の利用者が、荷物をロッカーに入れて施錠するときに実行する指紋登録処理のシーケンスについて説明する。
図８には、先に図４を参照して説明した指紋センサモジュール５０と、指紋登録・認証モジュール７０の構成要素を示している。
左側から、指紋センサモジュール５０の指紋センサ５１、制御部５４、通信部５５、さらに、指紋登録・認証モジュール７０の通信部７４、制御部７５、記憶部７２を示している。
【００６３】
図８に示すシーケンス図の各ステップの処理について説明する。
（ステップＳ１１）
まず、指紋センサモジュール５０と、指紋登録・認証モジュール７０は、ステップＳ１１において相互認証処理を実行する。
この相互認証処理は、通信を実行するモジュール各々が、正当なモジュールであるかを確認するための処理である。
この相互認証処理は、例えば先に説明したように、予め各モジュールに配布された認証キーを用いた認証処理として実行することができる。
【００６４】
ステップＳ１１において実行する相互認証処理において、認証が成立し、モジュール各々が、正当なモジュールであることが確認された場合にのみ、以下のステップを実行する。
一方、認証が不成立の場合は、モジュール間の通信を遮断し、以下のステップは実行されない。
【００６５】
（ステップＳ１２）
ステップＳ１１において実行する相互認証処理において、認証が成立し、モジュール各々が、正当なモジュールであることが確認された場合には、ステップＳ１２の処理が実行される。
【００６６】
ステップＳ１２では、指紋センサモジュール５０の指紋センサ５１が、ユーザの指の指紋を読み取る。読み取りデータは、制御部５４の制御の下、通信部５５を介して、指紋登録・認証モジュール７０に送信される。
なお、送信データは、ロッカー識別子と指紋データとの対応データを含むデータである。
【００６７】
なお、先に説明したように、送信する指紋データは、指紋の画像データとしてもよいが、指紋画像データに対するデータ処理によって生成したコード化データであってもよい。例えば指紋センサモジュール５０の制御部５４が、画像信号をコード信号に変換するアルゴリズムを含むプログラムを実行して、画像信号に従ったコード信号を生成して、つ生成したコード信号を、通信部５５を介して指紋登録・認証モジュール７０に送信する。
なお、送信データは、暗号化データとして、漏えいを防止した構成とすることが好ましい。
【００６８】
（ステップＳ１３）
ステップＳ１２において、指紋センサモジュール５０から指紋登録・認証モジュール７０に送信された指紋データは、指紋登録・認証モジュール７０の通信部７４において受信される。
指紋登録・認証モジュール７０は、ステップＳ１３において、制御部７５の制御の下、受信した指紋データを記憶部７２に格納する。
【００６９】
指紋登録・認証モジュール７０の記憶部７２に格納されるデータの例を図９に示す。
図９に示すように、指紋登録・認証モジュール７０の記憶部７２に格納されるデータは、
（１）ロッカー識別子
（２）ユーザ指紋データＡ
（３）ユーザ指紋データＢ
これらの対応データとなる。
【００７０】
ユーザ指紋データＡ，Ｂは、具体的には、例えば同一ユーザの親指と人差し指の指紋データである。
図９に示す指紋データの例は、指紋画像データではなく、指紋画像に基づいて生成されたコード情報である。
なお、指紋画像からコード情報への変換処理は、指紋センサモジュール５０の制御部５４において実行してもよいし、指紋登録・認証モジュール７０の制御部７５において実行してもよい。
【００７１】
（ステップＳ１４）
ステップＳ１３において、指紋登録・認証モジュール７０が、受信指紋データを記憶部７２に格納する処理が完了すると、指紋登録・認証モジュール７０は、ステップＳ１４において、登録完了通知を、指紋センサモジュール５０に送信する。
【００７２】
（ステップＳ１５）
指紋登録・認証モジュール７０から、登録完了通知を受信した指紋センサモジュール５０は、ステップＳ１５において、登録完了に応じた処理を実行する。
具体的には、ロッカーの施錠を行い、ドアを開けることを不可能とする処理を行う。
この処理により、ユーザの荷物は、ロッカーに安全に格納される。
【００７３】
次に、図１０を参照して、図１に示すコインロッカー１０の利用者が、荷物をロッカーから取り出す際の開錠処理時に実行する処理の処理シーケンスについて説明する。
図１０には、図８と同様、先に図４を参照して説明した指紋センサモジュール５０と、指紋登録・認証モジュール７０の構成要素を示している。
左側から、指紋センサモジュール５０の指紋センサ５１、制御部５４、通信部５５、さらに、指紋登録・認証モジュール７０の通信部７４、制御部７５、記憶部７２を示している。
【００７４】
図１０に示すシーケンス図の各ステップの処理について説明する。
（ステップＳ２１）
まず、指紋センサモジュール５０と、指紋登録・認証モジュール７０は、ステップＳ２１において相互認証処理を実行する。
この相互認証処理は、通信を実行するモジュール各々が、正当なモジュールであるかを確認するための処理である。
この相互認証処理は、例えば先に説明したように、予め各モジュールに配布された認証キーを用いた認証処理として実行することができる。
【００７５】
ステップＳ２１において実行する相互認証処理において、認証が成立し、モジュール各々が、正当なモジュールであることが確認された場合にのみ、以下のステップを実行する。
一方、認証が不成立の場合は、モジュール間の通信を遮断し、以下のステップは実行されない。
【００７６】
（ステップＳ２２）
ステップＳ２１において実行する相互認証処理において、認証が成立し、モジュール各々が、正当なモジュールであることが確認された場合には、ステップＳ２２の処理が実行される。
【００７７】
ステップＳ２２では、指紋センサモジュール５０の指紋センサ５１が、ユーザの指の指紋を読み取る。読み取りデータは、制御部５４の制御の下、通信部５５を介して、指紋登録・認証モジュール７０に送信される。
なお、送信データは、ロッカー識別子と指紋データとの対応データを含むデータである。
【００７８】
（ステップＳ２３）
次に、指紋登録・認証モジュール７０は、ステップＳ２３において、記憶部７２から、ユーザがロッカーに対する荷物の預入時に事前登録した登録指紋データを読み出す。
【００７９】
（ステップＳ２４）
次に、指紋登録・認証モジュール７０は、ステップＳ２４において指紋の照合処理を実行する。すなわち、
ステップＳ２２において、指紋センサモジュール５０から受信した指紋データと、
ステップＳ２３で、記憶部７２から読み出した登録指紋データ、
これら２つの指紋データの照合処理を行う。
【００８０】
２つの指紋データの一致が確認された場合、すなわち照合成立の場合は、ステップＳ２５ａ〜Ｓ２６ａの処理を実行する。
一方、２つの指紋データの一致が確認されなかった場合、すなわち照合不成立の場合は、ステップＳ２５ｂ〜Ｓ２６ｂの処理を実行する。
【００８１】
（ステップＳ２５ａ〜Ｓ２６ａ）
ステップＳ２４の照合処理において、２つの指紋データの一致が確認された場合、すなわち照合成立の場合は、ステップＳ２５ａ〜Ｓ２６ａの処理を実行する。
指紋登録・認証モジュール７０は、ステップＳ２５ａにおいて、照合が成立したことを、指紋センサモジュール５０に通知する。
【００８２】
指紋センサモジュール５０は、指紋登録・認証モジュール７０からの照合成立通知に応じて、ステップＳ２６ａにおいて、照合成立に伴う処理を実行する。
具体的には、ロッカーの開錠を行い、ドアを開けることを可能とする処理を行う。
この処理により、ユーザは、ロッカーを開けて荷物を取り出すことが可能となる。
【００８３】
（ステップＳ２５ｂ〜Ｓ２６ｂ）
一方、ステップＳ２４の照合処理において、２つの指紋データの一致が確認されなかった場合、すなわち照合不成立の場合は、ステップＳ２５ｂ〜Ｓ２６ｂ］の処理を実行する。
指紋登録・認証モジュール７０は、ステップＳ２５ｂにおいて、照合が成立しなかったことを、指紋センサモジュール５０に通知する。
【００８４】
指紋センサモジュール５０は、指紋登録・認証モジュール７０からの照合不成立通知に応じて、ステップＳ２６ｂにおいて、照合不成立に伴う処理を実行する。
具体的には、ロッカーの開錠を行わず施錠状態を継続する。すなわち、ドアが開けられない設定とする処理を行う。
この処理により、不正なユーザは、ロッカーを開けることができず、荷物の取り出しが防止される。
【００８５】
［５．情報処理システムのその他の構成例について］
先に、図３、図４を参照して説明した情報処理システムは、指紋センサモジュール５０と、指紋登録・認証モジュール７０とが、離間した位置にあり、通信ネットワークを介して通信可能な構成を有するシステムとして説明した。
本開示の情報処理システムはこのようなシステム構成に限らず、様々な構成とすることができる。
【００８６】
このシステム構成例について、図１１を参照して説明する。
図１１には、以下の２つの情報処理システム構成例を示している。
（１）情報処理システム構成例１
（２）情報処理システム構成例２
【００８７】
（１）情報処理システム構成例１は、図３、図４を参照して説明した情報処理システムに相当し、指紋センサモジュール５０と、指紋登録・認証モジュール７０とが、離間した位置にあり、通信ネットワークを介して通信可能な構成を有するシステムである。
【００８８】
一方、（２）情報処理システム構成例２は、図３、図４を参照して説明した情報処理システムとは異なり、指紋センサモジュール５０と、指紋登録・認証モジュール７０とが一体化した構成である。
指紋センサモジュール＆指紋登録・認証モジュール９０は、指紋センサによる指紋検出データを入力し、入力した指紋データの登録処理や認証処理を１つの情報処理装置内で実行する。
これは、例えばスマホやＰＣといった１台の情報処理装置にやおいて実現可能な構成である。
【００８９】
［６．指紋センサを装着する部材や装置の例について］
先に説明したように、指紋センサの設定対象は、図１に示すようなコインロッカーに限らず、様々な物が可能である。以下、指紋センサを設定する部材や装置の、具体例について説明する。
【００９０】
指紋センサを設定する部材や装置は、ユーザの指によって操作される操作部材、例えばドアのつまみ等の操作部材や、ユーザの指が接触する様々な装置となる。
図１２〜図１４を参照して、指紋センサ装着対象となる部材や装置の例について説明する。
【００９１】
図１２（１）指紋センサ設定例１は、図１以下を参照して説明したと同様、ドアつまみ１０１に対する指紋センサ装着例である。
ドアつまみ１０１の両側面の２つの指接触面に、ユーザの２本の指の指紋を読み取る指紋センサを装着する。
指紋センサによって読み取られた指紋データに基づくユーザ認証処理を実行し、認証成立の場合にのみ、ドアつまみの回転、すなわち開錠を許容する制御を行うことができる。
なお、この制御は、ドアつまみ１０１内部の制御部によって制御を行う構成としてもよいし、外部の装置との通信に基づく制御を行う構成としてもよい。
【００９２】
図１２（２）指紋センサ設定例２は、ファスナ１０２に対する指紋センサ装着例である。
ファスナ１０２の両面の２つの指接触面に、ユーザの２本の指の指紋を読み取る指紋センサを装着する。
指紋センサによって読み取られた指紋データに基づくユーザ認証処理を実行し、認証成立の場合にのみ、ファスナ１０２を開けることを許容する制御を行うことができる。
なお、この制御は、ファスナ１０２内部の制御部によって制御を行う構成としてもよいし、外部の装置との通信に基づく制御を行う構成としてもよい。
【００９３】
図１２（３）指紋センサ設定例３は、例えば日記帳等の本や荷物等、他のユーザによって開けられないように包んだバンドの留め具として利用されるバックル１０３に対する指紋センサ装着例である。
バックル１０３の両面の２つの指接触面に、ユーザの２本の指の指紋を読み取る指紋センサ１０３ａ，ｂを装着する。
指紋センサによって読み取られた指紋データに基づくユーザ認証処理を実行し、認証成立の場合にのみ、バックル１０３を外すことを許容する制御を行うことができる。
なお、この制御は、バックル１０３内部の制御部によって制御を行う構成としてもよいし、外部の装置との通信に基づく制御を行う構成としてもよい。
【００９４】
図１３（４）指紋センサ設定例４は、ドアノブ１０４に対する指紋センサ装着例である。
ドアノブ１０４の指接触面に、ユーザの指の指紋を読み取る指紋センサ１０４ａを装着する。
なお、この例では、指紋センサ１０４ａは１つのみであり、ユーザの一本の指の指紋データのみを読み取る構成である。
【００９５】
本開示の構成は、２本の指の指紋を読み取る構成に限らず、１つの指の指紋を読み取る構成も含まれる。
従来構成との差異は、ユーザによる通常動作によって指紋読み取りが可能である構成である。図１３に示すドアノブ１０４の場合、ユーザがドアノブ１０４を握るタイミングで、ユーザの指が指紋センサ１０４ａ上に当接され、ユーザは指紋読み取り処理のための特別な動作を行うことなく、指紋の読み取りと、読みっとった指紋による認証処理、認証処理に基づく制御、例えばドアの開錠制御が可能となる。
なお、この制御は、ドアノブ１０４内部の制御部によって制御を行う構成としてもよいし、外部の装置との通信に基づく制御を行う構成としてもよい。
【００９６】
図１３（５）指紋センサ設定例５は、電源プラグ１０５に対する指紋センサ装着例である。
電源プラグ１０５の指接触面に、ユーザの指の指紋を読み取る指紋センサ１０５ａを装着する。
指紋センサによって読み取られた指紋データに基づくユーザ認証処理を実行し、認証成立の場合にのみ、電源プラグ１０５を介した電力供給を許容する制御を行うことができる。
なお、この制御は、電源プラグ１０５内部の制御部によって制御を行う構成としてもよいし、外部の装置との通信に基づく制御を行う構成としてもよい。
【００９７】
図１４（６）指紋センサ設定例６は、ゲームコントローラ１０６に対する指紋センサ装着例である。
ゲームコントローラ１０６の指接触面に、ユーザの指の指紋を読み取る指紋センサ１０６ａを装着する。
指紋センサによって読み取られた指紋データに基づくユーザ認証処理を実行し、認証成立の場合にのみ、ゲームコントローラ１０６の利用が可能となるような制御を行うことができる。
なお、この制御は、ゲームコントローラ１０６内部の制御部によって制御を行う構成としてもよいし、外部の装置との通信に基づく制御を行う構成としてもよい。
【００９８】
図１４（７）指紋センサ設定例７は、ボトル１０７のボトルキャップ１０８に対する指紋センサ装着例である。
ボトルキャップ１０８の指接触面に、ユーザの指の指紋を読み取る指紋センサ１０８ａを装着する。
指紋センサによって読み取られた指紋データに基づくユーザ認証処理を実行し、認証成立の場合にのみ、ボトルキャップ１０８をオープンすることが可能となるような制御を行うことができる。
なお、この制御は、ボトルキャップ１０８内部の制御部によって制御を行う構成としてもよいし、外部の装置との通信に基づく制御を行う構成としてもよい。
【００９９】
これらの他にもセンサの装着部材としては様々な部材が利用可能である。
例えば、財布や、かばんの開閉に利用されるチャックやボタン。日記帳や手帳、ノート、名刺入れ等の梱包バンド。タンスや棚の引き出し。ドアノブやサムターン。冷蔵庫の取手、コインロッカー、金庫、ジュエリー箱等のふたや開閉ボタン。冷蔵庫のトレー、コンセント、ペットボトル、お酒のフタ、リモコンや、ゲームコントローラ、洗濯機、ガスコンロ、オーブン、鍋、ポット、炊飯器、傘、口紅、印鑑等の操作部、キャップ等。
これらの様々な部材に対して指紋センサを装着することができる。
これらの指紋センサが装着された物の利用を、指紋認証の正立、不成立に基づいて制御することが可能となる。
【０１００】
［７．情報処理装置の構成例について］
次に、本開示の情報処理システムを構成する各情報処理装置のハードウェア構成例について、図１５を参照して説明する。
【０１０１】
図１５は、指紋センサモジュール５０や、指紋登録・認証モジュール７０のハードウェア構成例を示すブロック図である。
【０１０２】
ＣＰＵ（Ｃｅｎｔｒａｌ  Ｐｒｏｃｅｓｓｉｎｇ  Ｕｎｉｔ）３０１は、ＲＯＭ（Ｒｅａｄ  Ｏｎｌｙ  Ｍｅｍｏｒｙ）３０２、または記憶部３０８に記憶されているプログラムに従って各種の処理を実行する制御部やデータ処理部として機能する。例えば、上述した実施例において説明したシーケンスに従った処理を実行する。ＲＡＭ（Ｒａｎｄｏｍ  Ａｃｃｅｓｓ  Ｍｅｍｏｒｙ）３０３には、ＣＰＵ３０１が実行するプログラムやデータなどが記憶される。これらのＣＰＵ３０１、ＲＯＭ３０２、およびＲＡＭ３０３は、バス３０４により相互に接続されている。
【０１０３】
ＣＰＵ３０１はバス３０４を介して入出力インタフェース３０５に接続され、入出力インタフェース３０５には、各種スイッチ、キーボード、マウス、マイクロホンなどよりなる入力部３０６、ディスプレイ、スピーカなどよりなる出力部３０７が接続されている。ＣＰＵ３０１は、入力部３０６から入力される指令に対応して各種の処理を実行し、処理結果を例えば出力部３０７に出力する。
なお、指紋センサモジュール５０の場合、入力部３０６には指紋センサが含まれる。
【０１０４】
入出力インタフェース３０５に接続されている記憶部３０８は、例えばハードディスク等からなり、ＣＰＵ５０１が実行するプログラムや各種のデータを記憶する。通信部３０９は、Ｗｉ−Ｆｉ通信、ブルートゥース（登録商標）（ＢＴ）通信、その他インターネットやローカルエリアネットワークなどのネットワークを介したデータ通信の送受信部として機能し、外部の装置と通信する。
【０１０５】
入出力インタフェース３０５に接続されているドライブ３１０は、磁気ディスク、光ディスク、光磁気ディスク、あるいはメモリカード等の半導体メモリなどのリムーバブルメディア３１１を駆動し、データの記録あるいは読み取りを実行する。
【０１０６】
［８．本開示の構成のまとめ］
以上、特定の実施例を参照しながら、本開示の実施例について詳解してきた。しかしながら、本開示の要旨を逸脱しない範囲で当業者が実施例の修正や代用を成し得ることは自明である。すなわち、例示という形態で本発明を開示してきたのであり、限定的に解釈されるべきではない。本開示の要旨を判断するためには、特許請求の範囲の欄を参酌すべきである。
【０１０７】
なお、本明細書において開示した技術は、以下のような構成をとることができる。
（１）  ユーザの指によるつまむ動作が行われる操作部材に形成された指紋センサであり、前記つまむ動作により前記ユーザの指の指紋形成面が当接する位置に設定された指紋センサと、
前記指紋センサによって取得された指紋データを、指紋データ登録処理、または指紋データに基づく認証処理を実行するデータ処理部に出力する制御部を有する情報処理装置。
【０１０８】
（２）  前記制御部が、
前記指紋データ登録処理、または前記指紋データに基づく認証処理を実行する（１）に記載の情報処理装置。
【０１０９】
（３）  前記制御部は、
通信部を介して、前記指紋センサによって取得された指紋データを、指紋データ登録処理、または指紋データに基づく認証処理を実行するデータ処理実行部に送信する（１）に記載の情報処理装置。
【０１１０】
（４）  前記指紋センサは、
ユーザの指によるつまむ動作が行われた場合に、前記ユーザの２本の指の指紋形成面が当接する２つの位置に設定されている（１）〜（３）いずれかに記載の情報処理装置。
【０１１１】
（５）  前記操作部材は、
開閉用つまみであり、
前記制御部は、
前記指紋データ登録処理の完了に応じて、前記開閉用つまみのユーザ操作による開動作を実行不可とする施錠処理を行う（１）〜（４）いずれかに記載の情報処理装置。
【０１１２】
（６）  前記操作部材は、
開閉用つまみであり、
前記制御部は、
前記指紋データに基づく認証処理の成立に応じて、前記開閉用つまみのユーザ操作による開動作を実行可とする開錠処理を行う（１）〜（５）いずれかに記載の情報処理装置。
【０１１３】
（７）  前記操作部材は、
ドアの開閉用のドアつまみであり、
前記制御部は、
前記指紋データ登録処理の完了に応じて、前記ドアを施錠する（１）〜（６）いずれかに記載の情報処理装置。
【０１１４】
（８）  前記操作部材は、
ドアの開閉用のドアつまみであり、
前記制御部は、
前記指紋データに基づく認証処理の成立に応じて、前記ドアを開錠する（１）〜（７）いずれかに記載の情報処理装置。
【０１１５】
（９）  前記情報処理装置は、
前記指紋データを格納する記憶部を有する（１）〜（８）いずれかに記載の情報処理装置。
【０１１６】
（１０）  指紋センサモジュールと、指紋登録・認証モジュールを有する情報処理システムであり、
前記指紋センサモジュールは、
操作部材に対するユーザの指によるつまむ動作により、指の指紋形成面が当接する位置において指紋を検出する指紋センサを介して指紋データを取得する処理と、
通信部を介して、前記指紋センサによって取得された指紋データを前記指紋登録・認証モジュールに送信する処理を実行する制御部を有し、
前記指紋登録・認証モジュールは、
前記指紋センサモジュールの送信する指紋データを受信し、受信した指紋データを記憶部に格納する登録処理を実行する制御部を有する情報処理システム。
【０１１７】
（１１）  前記指紋登録・認証モジュールの制御部は、
前記記憶部に格納された登録指紋データと、
前記指紋センサモジュールから新たに入力した新規入力指紋データとの照合処理による認証処理を実行する（１０）に記載の情報処理システム。
【０１１８】
（１２）  前記指紋センサは、
ユーザの指によるつまむ動作が行われた場合に、前記ユーザの２本の指の指紋形成面が当接する２つの位置に設定されている（１０）または（１１）に記載の情報処理システム。
【０１１９】
（１３）  前記操作部材は、
開閉用つまみであり、
前記指紋センサモジュールの制御部は、
前記指紋データ登録処理の完了に応じて、前記開閉用つまみのユーザ操作による開動作を実行不可とする施錠処理を行う（１０）〜（１２）いずれかに記載の情報処理システム。
【０１２０】
（１４）  前記操作部材は、
開閉用つまみであり、
前記指紋センサモジュールの制御部は、
前記指紋データに基づく認証処理の成立に応じて、前記開閉用つまみのユーザ操作による開動作を実行可とする開錠処理を行う（１０）〜（１３）いずれかに記載の情報処理システム。
【０１２１】
（１５）  前記操作部材は、
ドアの開閉用のドアつまみであり、
前記指紋センサモジュールの制御部は、
前記指紋データ登録処理の完了に応じて、前記ドアを施錠する（１０）〜（１４）いずれかに記載の情報処理システム。
【０１２２】
（１６）  前記操作部材は、
ドアの開閉用のドアつまみであり、
前記指紋センサモジュールの制御部は、
前記指紋データに基づく認証処理の成立に応じて、前記ドアを開錠する（１０）〜（１５）いずれかに記載の情報処理システム。
【０１２３】
（１７）  情報処理装置において実行する情報処理方法であり、
制御部が、
操作部材に対するユーザの指によるつまむ動作により、指の指紋形成面が当接する位置において指紋を検出する指紋センサを介して指紋データを取得する処理と、
前記指紋センサによって取得された指紋データを、指紋データ登録処理、または指紋データに基づく認証処理の実行部に出力する処理を行う情報処理方法。
【０１２４】
（１８）  指紋センサモジュールと、指紋登録・認証モジュールを有する情報処理システムにおいて実行する情報処理方法であり、
前記指紋センサモジュールにおいて、
操作部材に対するユーザの指によるつまむ動作により、指の指紋形成面が当接する位置において指紋を検出する指紋センサを介して指紋データを取得する処理と、
通信部を介して、前記指紋センサによって取得された指紋データを前記指紋登録・認証モジュールに送信する処理を実行し、
前記指紋登録・認証モジュールが、
通信部を介して、前記指紋センサモジュールの送信する指紋データを受信し、
制御部が、受信した指紋データを記憶部に格納する登録処理を実行する情報処理方法。
【０１２５】
（１９）  情報処理装置において情報処理を実行させるプログラムであり、
制御部に、
操作部材に対するユーザの指によるつまむ動作により、指の指紋形成面が当接する位置において指紋を検出する指紋センサを介して指紋データを取得する処理と、
前記指紋センサによって取得された指紋データを、指紋データ登録処理、または指紋データに基づく認証処理の実行部に出力する処理を行わせるプログラム。
【０１２６】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。例えば、プログラムは記録媒体に予め記録しておくことができる。記録媒体からコンピュータにインストールする他、ＬＡＮ（Ｌｏｃａｌ  Ａｒｅａ  Ｎｅｔｗｏｒｋ）、インターネットといったネットワークを介してプログラムを受信し、内蔵するハードディスク等の記録媒体にインストールすることができる。
【０１２７】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１２８】
以上、説明したように、本開示の一実施例の構成によれば、ユーザの通常動作中に指紋データを取得して指紋認証を行い、認証結果に応じた処理制御を行う構成が実現される。
具体的には、例えば、指紋センサは、ユーザの指によるつまむ動作が行われる操作部材に形成される。つまむ動作によりユーザの指の指紋形成面が当接する位置に設定された指紋センサによって指紋データを取得し、取得した指紋データに基づくユーザ認証処理を実行する。指紋センサは、ユーザの指によるつまむ動作が行われた場合に、ユーザの２本の指の指紋データを取得する。操作部材は、例えばドアの開閉用のドアつまみであり、指紋データに基づく認証処理の成立に応じて、ドアを開錠する。
本構成により、ユーザの通常動作中に指紋データを取得して指紋認証を行い、認証結果に応じた処理制御を行う構成が実現される。
【符号の説明】
【０１２９】
１０  コインロッカー
１１  開閉ドアつまみ部
５０  指紋センサモジュール
５１  指紋センサ
５２  記憶部
５３  電源
５４  制御部
５５  通信部
７０  指紋登録・認証モジュール
７１  入力部
７２  記憶部
７３  表示部
７４  通信部
７５  制御部
７６  電源
８０  光源
８１  ミラー
８２，８３  導光板
８４，８５  受光素子
９０  指紋センサモジュール＆指紋登録・認証モジュール
１０１  ドアつまみ
１０２  ファスナ
１０３  バックル
１０４  ドアノブ
１０５  電源プラグ
１０６  ゲームコントローラ
１０７  ボトル
１０８  ボトルキャップ
３０１  ＣＰＵ
３０２  ＲＯＭ
３０３  ＲＡＭ
３０４  バス
３０５  入出力インタフェース
３０６  入力部
３０７  出力部
３０８  記憶部
３０９  通信部
３１０  ドライブ
３１１  リムーバブルメディア
【図１】
2018133025.tif 000003
【図２】
2018133025.tif 000004
【図３】
2018133025.tif 000005
【図４】
2018133025.tif 000006
【図５】
2018133025.tif 000007
【図６】
2018133025.tif 000008
【図７】
2018133025.tif 000009
【図８】
2018133025.tif 000010
【図９】
2018133025.tif 000011
【図１０】
2018133025.tif 000012
【図１１】
2018133025.tif 000013
【図１２】
2018133025.tif 000014
【図１３】
2018133025.tif 000015
【図１４】
2018133025.tif 000016
【図１５】
2018133025.tif 000017